(57)【特許請求の範囲】
【請求項１】
抽斗を前後動自在に設けた家具本体の内部のうち抽斗と対向した部位に前後動自在なスライダーを設け、このスライダーに、当該スライダーの移動方向と交叉した方向に回動し得る作動部を設け、
前記作動部と家具本体とに、スライダーが前進した状態で作動部が一方方向に回動すると互いに係合してスライダーを前進状態に保持する第１係合手段を設け、
ばねにより、スライダーを後退方向に付勢すると共に、スライダーが前進した状態では前記第１係合手段が係合し勝手となるように付勢し、
更に、前記スライダーの作動部と抽斗とに、抽斗を押し込むと前記作動部を他方方向に回動させて前記第１係合手段の係合を解除させる係合解除手段と、この係合解除手段によって作動部が他方方向に回動すると互いに係合してスライダーと抽斗とを一緒に後退させる第２係合手段とを設けていること、
を特徴とする抽斗の閉止装置。
【請求項２】
前記スライダーは合成樹脂製であって、家具本体の内側面に配置されている一方、作動部は、平面視で水平回動するように変形自在な蝶番部を介してスライダーに一体成形されており、前記第２係合手段は、作動部に設けた平面視鉤形の係合爪と、この係合爪が係脱するように抽斗の側枠に形成した係合穴とからなっていることを特徴とする請求項１に記載した抽斗の閉止装置。
【発明の詳細な説明】
【０００１】
【発明の属する技術分野】
本発明は、抽斗を後退位置に引き込む閉止装置に関するものである。
【０００２】
【従来の技術】
キャビネットのように抽斗を備えた家具において、後退位置近くまで押し込まれた抽斗を自動的に家具本体内に引き込む閉止装置を設けて、抽斗を家具本体内に後退し切った状態に保持することが行われている。
【０００３】
その例として、特公平５−２３７６３号公報の第１〜第４図には、家具本体の内側面に、傾斜部分と称する作動部材を前後動自在に装着して、作動部材をばねで後退方向に引っ張り付勢すると共に、作動部材を、前進し切ると前傾姿勢となるように設定することにより、作動部材がばねで後退方向に引っ張られた状態のままで前進位置に保持されるように設定する一方、抽斗の側面に、前記作動部材に形成した上向き開口の溝に嵌まるピンを横向きに突設し、作動部材が前傾姿勢になるとピンが作動部材の係合溝から離脱するように設定しておくことが記載されている。
【０００４】
すなわち、この従来技術では、抽斗を後退し切った状態から引き出すと、ピンによって作動部材はそのストロークの範囲内で前進し、作動部材が前進し切って前傾姿勢になるとピンは作動部材の係合溝から抜け出て、抽斗はそのまま引き出される。
【０００５】
そして、抽斗を後退位置近くまで押し込むと、ピンが作動部材における係合溝の一側面に当たることにより、作動部材は前傾姿勢から水平状の姿勢に戻され、それと同時にピンが作動部材の係合溝に嵌まり係合する。すると、作動部材はばねの引っ張りによって後退し、これに伴って抽斗は押し込み切った後退位置に引き込まれる。また、公報の第５図〜第１２図には、抽斗の下面の箇所に作動部材を配置することが記載されている。
【０００６】
【発明が解決しようとする課題】
前記従来技術によると、作動部材（傾斜部分）の前後移動ストロークを任意の長さに設定できるので、抽斗を引き込みできる範囲を大きくすることができる利点がある。
【０００７】
しかし、前記従来技術のようにピンで作動部材の姿勢を変えるものでは、繰り返しの使用によってピンが曲がり変形しやすく、耐久性に問題があった。また、抽斗の側面にピンを設けると、組立前にピンが人の衣服に引っ掛かったり、組立た後においても、抽斗を引き出した状態で露出したピンに衣服が引っ掛かったり、物が当たってピンを変形させたりする虞がある点も問題であった。
【０００８】
更に、抽斗に設けたピンによって作動部材の全体の姿勢を変えるものであるため、作動部材は後退した状態でその姿勢を変えることはできず、このため、抽斗を引き出している状態において何らかの理由で作動部材がばねによって後退してしまうと、抽斗を押し込んでもピンが作動部材前面に当たって、抽斗を奥まで押し込むことができなるという問題もあった。
【０００９】
本発明は、これらの問題を解消して閉止装置を提供することを目的とするものである。
【００１０】
【課題を解決するための手段】
請求項１に係る発明では、抽斗を前後動自在に設けた家具本体の内部のうち抽斗と対向した部位に前後動自在なスライダーを設け、このスライダーに、当該スライダーの移動方向と交叉した方向に回動し得る作動部を設けている。
【００１１】
そして、前記作動部と家具本体とに、スライダーが前進した状態で作動部が一方方向に回動すると互いに係合してスライダーを前進状態に保持する第１係合手段を設け、ばねにより、スライダーを後退方向に付勢すると共に、スライダーが前進した状態では前記第１係合手段が係合し勝手となるように付勢している。
【００１２】
更に、前記スライダーの作動部と抽斗とに、抽斗を押し込むと前記作動部を他方方向に回動させて前記第１係合手段の係合を解除させる係合解除手段と、この係合解除手段によって作動部が他方方向に回動すると互いに係合してスライダーと抽斗とを一緒に後退させる第２係合手段とを設けている。
【００１３】
また、請求項２に係る発明では、前記スライダーは合成樹脂製であって、家具本体の内側面に配置されている一方、作動部は、平面視で水平回動するように変形自在な蝶番部を介してスライダーに一体成形されており、前記第２係合手段は、作動部に設けた平面視鉤形の係合爪と、この係合爪が係脱するように抽斗の側板に形成した係合穴とからなっている。
【００１４】
【発明の作用・効果】
本発明によると、スライダーに設けた作動部を回動させることによって抽斗に係脱させるものであるため、抽斗を引き込むための第２係合手段としては、例えば請求項２のように側板に単なる係合穴を形成するなどすることが可能となり、ピンをなくすことができる。従って、人の衣服が引っ掛かるような問題や、物が当たって変形するような問題をなくすことができる。
【００１５】
また、スライダーを後退させた状態でも作動部は回動し得るため、抽斗を引き出し状態で何らかの理由によってスライダーが後退してしまっても、抽斗の押し込みによって作動部を逃げ回動させて、第２係合手段が互いに係合するように形成することが可能となり、その結果、抽斗を引き出した状態でスライダーが後退する不測の事態が生じても、抽斗を家具本体の奥まで押し込み切ることができる。
【００１６】
【発明の実施形態】
次に、本発明の実施形態を図面に基づいて説明する。
【００１７】
本発明は三段式のキャビネットに適用しており、図１は中段の抽斗１を引き出した状態でのキャビネットの斜視図、図２は図１の部分側面図、図３は部材を一部破断した状態での閉止装置の分離斜視図、図４のうち（Ａ）は図２のIV−IV視断面図、（Ｂ）は図５（Ａ）の IVA-IVA視断面図、図５のうち（Ａ）は抽斗１を後退させた状態での図４（Ａ）の VA-VA視断面図、（Ｂ）は同じく抽斗１を後退させた状態での図４（Ａ）の VB-VB視断面図、図６は作用を示す断面図で、（Ｂ）は（Ａ）のＢ−Ｂ視断面図、図７も作用を示す図である。
【００１８】
図２や図３に示すように、抽斗１は、正面視Ｌ字状に形成された左右側枠２を備えている。抽斗１は、左右一対のレール装置（サスペンションレール）３によって前後動自在に支持されている。
【００１９】
図４（Ａ）に明瞭に示すように、レール装置３は、抽斗１の側枠２に固定された抽斗側レール４と、家具本体８の内側面に固着した本体側レール５と、これらのレール４，５にボール７前後動自在に装着された中間レール６とによって３段式に構成されており、図２に示すように、抽斗１は、全体がキャビネット本体８から突出する状態に引き出すことができる。レール装置３は抽斗１の下部に配置している。
【００２０】
例えば図４（Ａ）に示すように、本体側レール５は、キャビネット本体８の内側面にスペーサ９を介して取付けられた前後ブラケット１０に固着されている。ブラケット１０のうちレール装置３よりも上方の部位はキャビネット本体８の側板に向けて段落ちするように折曲げられており、前部に位置した左右ブラケット１０の段落ち部１０ａに、前後方向に延びる断面略Ｃ字状のガイド体１１をそれぞれねじ１２で固着しており、ガイド体１１の内部に、スライダー１３を前後動自在に嵌め入れている。
【００２１】
ガイド体１１は合成樹脂製としているが、金属製であっても良い。なお、ブラケット１０は前後に長く延びるように形成しても良いし、また、ガイド体１１は、レール装置３の取付け用ブラケット１０とは別の部材に取付けても良い。
【００２２】
スライダー１３は合成樹脂製であり、その前端部に、ガイド体１１の開口溝１４から抽斗１の方向に露出した作動部１５を一体に設けている。作動部１５のうちスライダー１３との連続部は撓み変形自在な蝶番部１６となっており、蝶番部１６を平面視で傾斜状に延びる姿勢とすることにより、作動部１５を抽斗１の外側面に近接させている。
【００２３】
図６（Ｂ）に明示するように、作動部１５の上下幅寸法は、ガイド体１１における開口溝１４の溝幅よりも小さい寸法に設定されている。
【００２４】
ガイド体１１における前端寄り部位の開口縁１１ａに第１係合溝１７が切欠き形成されている一方、前記スライダー１３の作動部１５には、スライダー１３が前進し切った状態で作動部１５が水平回動すると前記第１係合溝１７に嵌脱する上下一対の第１係合爪１８を形成している。上下の第１係合爪１８は互いに連続しているが、ガイド体１１の上下第１係合溝１７に嵌脱すれば良いから、互いに分断されていても良い。第１係合溝１７と第１係合爪１８とは、請求項に記載した第１係合手段の一例である。
【００２５】
作動部１５のうち上下第１係合爪１８の箇所には、ばね１９の前端を引っ掛ける前部ばね止め２０を設ける一方、ガイド体１１の後部には、ばね１９の後端を引っ掛ける後部ばね止め２１が形成されており、更に、スライダー１３と蝶番部１６とには、ばね１９が貫通する逃がし溝２２と逃がし穴２３が空いてる。このばね１９により、スライダー１３は常に後退方向に引っ張り付勢されている。
【００２６】
ばね１９は作動部１５よりもガイド体１１に寄った部位に配置されているため、ばね１９の引っ張り力は、作動部１５をガイド体１１の方向に回動させるようにも作用している。このため、スライダー１３の前後動に際して第１係合爪１８はガイド体１１の開口縁に当接しており、スライダー１３が前進し切ると、作動部１５が蝶番部１６を弾性変形させて水平回動し、その結果、第１係合爪１８が第１係合溝１７に嵌まり込む。
【００２７】
なお、引っ張りばね１９で後方に引っ張ることに代えて、作動部１５の手前側に圧縮ばねを配置し、この圧縮ばねによって作動部１５を後方に付勢しても良い。また、請求項に記載した「ばね」とは、ゴム等の他の弾性体、ばね手段を広く含む概念である。
【００２８】
スライダー１３における作動部１５の前端には、抽斗１の外側面に向けて突出する平面視鉤状の第２係合爪２４が形成されている。他方、抽斗１の側枠２には、抽斗１が後退し切った状態で前記第２係合爪２４が嵌合し得る第２係合穴２５が形成されている。これら第２係合爪２４と第２係合穴２５とは、請求項２に記載した第２係合手段の一例を成すものである。側枠２に係合爪を形成し、作動部１５に第２係合穴２５を形成しても良い。
【００２９】
側枠２のうち第２係合穴２５の後方部は外向きに膨出部２５ａとなっているが、これは、側枠２の厚さ寸法が小さくても、第２係合爪２４の引っ掛かりを確実ならしめるためである（外向き膨出部２５ａの突出寸法を大きくすると、第２係合穴２５を設ける必要がなくなり、この場合は、外向き膨出部２５ａと第２係合爪２４とが請求項の第２係合手段を構成することになる）。
【００３０】
作動部１５の前端部（或いは第２係合爪２４の前部）のうち抽斗１と対向した面は、手前に向かって抽斗１の側面との間隔が広がる傾斜面２６に形成されている。
【００３１】
作動部１５の後端部には、抽斗１の側面に向けて突出する突起２７が形成されている。他方、抽斗１の側枠２には、抽斗１が後退し切った状態で前記突起２７の前端面に近接した切欠き２８が形成されており、これら突起２７と切欠き２８が、請求項に記載した係合解除手段の一例を成している。切欠き２８を設けることに代えて、抽斗１の側面にブロック状等の突起を設けても良い。
【００３２】
図５（Ｂ）に示すように、抽斗１がキャビネット本体８の内部に押し込まれた状態では、作動部１５の第２係合爪２４が抽斗１の第２係合穴２５に嵌合した状態でスライダー１３がばね１９によって後方に引っ張られており、このため、抽斗１は後退位置に保持されている。なお、抽斗１は図示しないストッパーで後退位置が規制されている。また、抽斗１の前進動を阻止するラッチ爪を別に設けても良い
抽斗１を引き出すと、図６（Ｂ）に示すように第１係合爪１８がガイド体１１の開口縁１１ａに当たっている範囲では、図６（Ａ）に示すように、抽斗１の前進動に伴ってスライダー１３も一緒に引き出される。
【００３３】
そして、抽斗１の引き出し動に伴って第１係合爪１８が第１係合溝１７の箇所に来ると、図７（Ａ）に示すように、作動部１５がばね１９の引っ張り力によってガイド体１１に近づくように回動して、第２係合爪２４が第２係合穴２５から離脱すると共に、第１係合爪１８が第１係合溝１７に嵌まり込み、これにより、スライダー１３は前進し切った位置に保持される。第２係合爪２４と第２係合穴２５との係合が解除されるため、抽斗１はそのまま引き出される。
【００３４】
作動部１５は蝶番部１６を中心にして回動するものであるため、その姿勢が変わっても、突起２７と抽斗１との間隔は殆ど変わらない。このため、図７（Ｂ）に示すように、引き出していた抽斗１を押し込むと、その押し込み動に伴って、側枠２の切欠き２８が作動部１５の突起２７に当たる。
【００３５】
すると、図７（Ｂ）に示すように、作動部１５は抽斗１に近づくように蝶番部１６を中心にして水平回動し、これにより、第１係合爪１８は第１係合溝１７から離脱する。そして、スライダー１３はばね１９で引っ張られて後退動するため、仮に、人が抽斗１を最後まで押し切らなくても、抽斗１は後退位置まで引き込まれる。スライダー１３の移動ストロークは、一般には２５ｍｍ程度に設定されていることが多い。
【００３６】
以上の説明から容易に理解できるように、本発明によると、抽斗１には第２係合穴２５や切欠きのような非ピン状の係合部を設ければ足りるため、人の衣服の引っ掛かり自己や変形などの問題を防止できる（実施形態のように、第２係合手段として抽斗１の側枠２に第２係合穴２５を形成すると共に、係合解除手段として側枠２に切欠き２８を形成すると、側枠をプレス加工するだけで足りるため、加工工程が簡単になる利点がある）。
【００３７】
また、抽斗１を引き出した状態で何らかの理由でスライダー１３が後退してしまっても、抽斗１を押し込むと、側枠２が作動部１５の傾斜面２６に当たることによるガイド作用により、作動部１５は逃げ回動してから第２係合爪２４が第２係合穴２５に嵌合することになり、このため、抽斗１を最奥まで押し込みできなくなる不具合もない。
【００３８】
作動部１５を逃げ回動させるガイド手段としては、作動部１５に傾斜面２６を形成することに代えて、又はこれに加えて、側枠２の切欠き２８にガイド用傾斜面を形成しても良い。また、必ずしも抽斗１には側枠２を設ける必要はなく、他の部材に第２係合手段及び係合解除手段を設けても良い。
【００３９】
本実施形態のように蝶番部１６の変形によって作動部１５の回動を許容する場合は、図８に示すように、板ばね等の弾性金属板からなる芯板３０をインサート成形によってスライダー１３に埋設することにより、耐久性のアップを図っても良い。また、板ばねのような弾性金属板を板金加工することにより、作動部付きのスライダーを製造しても良い。また、スライダー１３と作動部１５と別々に製造して、板ばねに固着しても良い。
【００４０】
上記の実施形態は作動部をスライダーに一体成形した場合であったが、作動部をスライダーとは別体に製造して、ピンや軸によって回動自在に取付けても良い。また、スライダーを後退方向に付勢するばねと、作動部を抽斗から離反する方向に付勢するばねとを別々に設けても良い。
【００４１】
更に、スライダーや作動部は必要に応じて様々の形状を選択できるし、スライダーの前後動をガイドするガイド手段も、様々の形態に具体化できる。また、スライダーを抽斗の下面の箇所に配置することも可能である。
【図面の簡単な説明】
【図１】中段の抽斗を引き出した状態でのキャビネットの斜視図である。
【図２】図１の部分側面図である。
【図３】部材を一部破断した状態での閉止装置の分離斜視図である。
【図４】（Ａ）は図２の IVA-IVA視断面図、（Ｂ）は図５（Ａ）の IVA-IVA視断面図である。
【図５】抽斗を後退させた状態での図４（Ａ）の VA-VA視断面図、 VB-VB視断面図である。
【図６】作用を示す断面図で、（Ｂ）は（Ａ）のＢ−Ｂ視断面図である。
【図７】各分図とも作用を示す図である。
【図８】変形例を示す図である。
【符号の説明】
１  抽斗
２  抽斗の側枠
３  レール装置
８  キャビネット本体
１０  ブラケット
１１  ガイド体
１３  スライダー
１５  作動部
１６  蝶番部
１７  第１係合手段を構成する第１係合溝
１８  第１係合手段を構成する第１係合爪
１９  ばね
２４  第２係合手段を構成する第２係合爪
２５  第２係合手段を構成する第２係合穴
２７  係合解除手段を構成する突起
２８  係合解除手段を構成する切欠き
【図１】
0003925887.tif 000002
【図２】
0003925887.tif 000003
【図３】
0003925887.tif 000004
【図４】
0003925887.tif 000005
【図５】
0003925887.tif 000006
【図６】
0003925887.tif 000007
【図７】
0003925887.tif 000008
【図８】
0003925887.tif 000009